(57)【要約】【課題】高い除菌機能を有する除菌シートを従来よりも長い期間にわたって提供することができ、かつ、複数の除菌シートを使用する場合の手間を従来に比べて軽減することのできる除菌シート製品を提供する。【解決手段】除菌シート製品１は、不織布がロール状に巻かれると共にミシン目加工が施された不織布ロールに前記塩素系除菌液が含浸されたウェット不織布ロール２０を収容容器１０に収容すると共に、収容容器１０に設けられた取出口１２３からミシン目２１で切り離される所定長さのウェット不織布が除菌シートとして順次取り出されるように構成されている。前記塩素系除菌液は、次亜塩素酸ナトリウム及び純水を主成分とし、ｐＨ値が９．０〜１１．５であり、かつ、ｐＨ値の経時変化がほとんどない、弱アルカリ性の安定型次亜塩素酸ナトリウム溶液である。【選択図】図１
2020025777.tif 000002
【特許請求の範囲】
【請求項１】
塩素系除菌液を含浸した除菌シートが収容容器から取り出せるように構成された除菌シート製品であって、
不織布がロール状に巻かれると共にミシン目加工が施された不織布ロールに前記塩素系除菌液が含浸されたウェット不織布ロールを前記収容容器に収容すると共に、前記収容容器に設けられた取出口からミシン目で切り離される所定長さのウェット不織布が前記除菌シートとして順次取り出されるように構成され、
前記塩素系除菌液は、次亜塩素酸ナトリウム及び純水を主成分とし、ｐＨ値が９．０〜１１．５であり、かつ、ｐＨ値の経時変化がほとんどない、弱アルカリ性の安定型次亜塩素酸ナトリウム溶液である、
除菌シート製品。
【請求項２】
前記塩素系除菌液の残留塩素濃度が５０〜２００ｐｐｍである、請求項１に記載の除菌シート製品。
【請求項３】
前記不織布は、合成繊維及び再生繊維を含む一方、天然繊維を含まない、請求項１又は２に記載の除菌シート製品。
【請求項４】
前記不織布は、ポリエステル繊維、ポリプロピレン繊維、ビスコース繊維、アクリル繊維及びポリアミド繊維を含む、請求項１〜３のいずれか一つに記載の除菌シート製品。
【請求項５】
前記収容容器は、
前記ウェット不織布ロールを縦置き状態で収容可能な上部開口の容器本体と、
前記容器本体の上部開口を閉塞する蓋体であって、前記容器本体に着脱可能に構成されると共に略中央部に前記取出口が設けられた前記蓋体と、
を含み、
使用者が前記収容容器に新たなウェット不織布ロールを補充することが可能である、
請求項１〜４のいずれか一つに記載の除菌シート製品。
【請求項６】
前記使用者が前記収容容器に新たなウェット不織布ロールを補充することは、前記使用者が前記収容容器内で前記不織布ロールに前記塩素系除菌液を含浸させることを含む、請求項５に記載の除菌シート製品。
【請求項７】
前記収容容器は、前記ウェット不織布ロールの上部を覆うように配置される中蓋体をさらに含み、
前記中蓋体は、略中央部に第１貫通孔を有すると共に周縁部が前記容器本体に保持されるように構成されている、
請求項５又は６に記載の除菌シート製品。
【請求項８】
前記中蓋体は、前記第１貫通孔の周囲に前記第１貫通孔よりも開口面積の小さい複数の第２貫通孔を有する、請求項７に記載の除菌シート製品。
【発明の詳細な説明】
【技術分野】
【０００１】
本発明は、塩素系除菌液を含浸した除菌シートが収容容器から取り出せるように構成された除菌シート製品に関し、特に医療関連施設や食品関連施設において好適に使用され得る除菌シート製品に関する。
【背景技術】
【０００２】
この種の除菌シート製品の一例として特許文献１に記載された殺菌用ウェットティッシュが知られている。特許文献１に記載された殺菌用ウェットティッシュは、少なくとも表面が酸化されにくい素材からなる不織布に、ｐＨ値が３〜８であり、且つ、残留塩素濃度が５〜８０ｐｐｍの次亜塩素酸含有殺菌水が含浸されており、包装袋に一枚ずつ密封されている。
【先行技術文献】
【特許文献】
【０００３】
【特許文献１】特開平９−１７３４２７号公報
【発明の概要】
【発明が解決しようとする課題】
【０００４】
しかし、特許文献１に記載された殺菌用ウェットティッシュは、使用のたびに包装袋を開封して取り出す必要があり、複数の殺菌用ウェットティッシュを使用したい場合に手間がかかる。また、次亜塩素酸は、不安定であり、水溶液中で徐々に分解する。このため、特許文献１に記載された殺菌用ウェットティッシュは、時間経過とともに残留塩素濃度が低下し、使用時に十分な殺菌力が得られないおそれがある。
【０００５】
そこで、本発明は、高い除菌機能を有する除菌シートを従来よりも長い期間にわたって提供することができ、かつ、複数の除菌シートを使用する場合の手間を従来に比べて軽減することのできる除菌シート製品を提供することを目的とする。
【課題を解決するための手段】
【０００６】
本発明の一側面によると、塩素系除菌液を含浸した除菌シートが収容容器から取り出せるように構成された除菌シート製品が提供される。前記除菌シート製品は、不織布がロール状に巻かれると共にミシン目加工が施された不織布ロールに前記塩素系除菌液が含浸されたウェット不織布ロールを収容容器に収容すると共に、前記収容容器に設けられた取出口からミシン目で切り離される所定長さのウェット不織布が前記除菌シートとして順次取り出されるように構成されている。前記塩素系除菌液は、次亜塩素酸ナトリウム及び純水を主成分とし、ｐＨ値が９．０〜１１．５であり、かつ、ｐＨ値の経時変化がほとんどない、弱アルカリ性の安定型次亜塩素酸ナトリウム溶液である。
【発明の効果】
【０００７】
前記除菌シート製品は、前記弱アルカリ性の安定型次亜塩素酸ナトリウム溶液を含浸した前記所定長さのウェット不織布が前記除菌シートとして順次取り出されるように構成されている。このため、高い除菌機能を有する除菌シートを従来よりも長い期間にわたって提供することができ、かつ、複数の除菌シートを使用する場合の手間を従来に比べて軽減することができる。
【図面の簡単な説明】
【０００８】
【図１】本発明の実施形態に係る除菌シート製品の概略断面図である。
【図２】図１のＡ視拡大図である。
【図３】ウェット不織布ロールを示す図である。
【図４】前記除菌シート製品の変形例を示す図である。
【図５】前記除菌シート製品の変形例における中蓋体の一例を示す図である。
【図６】前記除菌シート製品の変形例における他の中蓋体を示す図である。
【発明を実施するための形態】
【０００９】
以下、本発明の実施形態について図面を参照して説明する。
図１は、本発明の一実施形態に係る除菌シート製品の概略断面図である。
図１に示されるように、実施形態に係る除菌シート製品１は、合成樹脂製の収容容器１０と、収容容器１０に収容されたウェット不織布ロール２０と、を含む。
【００１０】
収容容器１０は、有底円筒状に形成された上部開口の容器本体１１と、容器本体１１の上部開口を密閉状態に閉塞する蓋体１２と、を含む。本実施形態において、容器本体１１及び蓋体１２は、遮光性を有しており、ポリプロピレン樹脂で形成されている。但し、これに限られるものではなく、例えば、容器本体１１がポリプロピレン樹脂で形成され、蓋体１２がポリエチレン樹脂で形成されてもよい。
【００１１】
容器本体１１は、ウェット不織布ロール２０を縦置き状態で収容可能に形成され、蓋体１２は、容器本体１１の上部に着脱可能に形成されている。本実施形態において、容器本体１１の上端近傍の外周面には、周方向に延びる凸部１１１が全周にわたって形成されている。蓋体１２は、外周縁から下方に突出した円筒状の周縁部１２１を有しており、周縁部１２１の内面には、周方向に延びる係止突起１２２が全周にわたって形成されている。そして、蓋体１２は、容器本体１１の上端に配置されて下方に押圧され、係止突起１２２が凸部１１１を乗り越えて凸部１１１の下側に係止されることによって、容器本体１１に取り付けられる。また、蓋体１２は、周縁部１２１が径方向外側に向けて変形させられ（広げられ）、係止突起１２２と凸部１１１との係止が解除されることによって、容器本体１１から取り外される。なお、図示は省略するが、主に周縁部１２１の変形、ひいては、係止突起１２２と凸部１１１との係止及びその解除を容易にするため、周縁部１２１に少なくとも一つの切欠部が形成されてもよい。
【００１２】
図２は、図１のＡ視拡大図（要部図）である。
図１、図２に示されるように、蓋体１２の略中央部には、収容容器１０内に収容されたウェット不織布ロール２０からその一部（すなわち、ウェット不織布）を収容容器１０外に取り出すための取出口１２３が設けられている。本実施形態において、取出口１２３は、円形の貫通孔１２３ａと、貫通孔１２３ａから放射状に延びる複数（ここでは５つ）のスリット１２３ｂによって区画された弾性変形可能な複数（５つの）弾性片部１２３ｃと、を含む。複数の弾性片部１２３ｃは、貫通孔１２３ａに近くなるほど薄肉に形成されている。また、蓋体１２の上面には、取出口１２３を囲むように形成された円筒状の環状壁１２４が設けられている。
【００１３】
蓋体１２には、取出口１２３をカバーするキャップ部材３０が取り付けられている。キャップ部材３０は、例えばポリエチレン樹脂で形成されており、一端が閉塞された円筒状のキャップ本体３１と、一端がキャップ本体３１に連結されると共に他端が蓋体１２に連結されたヒンジ部３２と、を含む。キャップ本体３１は、その開口側が環状壁１２４の外周に着脱可能に嵌合するように形成されている。キャップ部材３０は、キャップ本体３１が環状壁１２４の前記外周に嵌め込まれることによって取出口１２３をカバーし、キャップ本体３１が環状壁１２４の前記外周から取り外されることによって取出口１２３を露出させるように構成されている。
【００１４】
ウェット不織布ロール２０は、長尺の不織布がロール状に巻かれると共に切り離し用のミシン目加工が施された不織布ロール（ドライ不織布ロール）に塩素系除菌液を含浸させることによって形成されたものである。図３に示されるように、本実施形態において、ウェット不織布ロール２０は、中空のロール体として形成され、前記ミシン目加工によって長さ方向に一定間隔で形成された複数のミシン目２１（図では１つだけ示されている）を有している。前記不織布ロール（ドライ不織布ロール）に含浸された前記塩素系除菌液及び前記不織布ロール（ドライ不織布ロール）を形成する前記不織布については後述する。
【００１５】
収容容器１０内において、ウェット不織布ロール２０は、その内側端部２２が取出口１２３から収容容器１０外に僅かに突出するようにセットされる（図１参照）。ウェット不織布ロール２０は、内側端部２２が引き上げられると、内側端部２２に続く部位（すなわち、ウェット不織布）が複数の弾性片部１２３ｃを変形させながら取出口１２３から引き出され、複数の弾性片部１２３ｃとの間の摩擦抵抗及び複数の弾性片部１２３ｃの反力によってミシン目２１で分離される。これにより、ミシン目２１で切り離された所定長さのウェット不織布が前記塩素系除菌液を含浸した除菌シートとして取出口１２３から取り出される。このとき、前記所定長さのウェット不織布（前記除菌シート）と共に取出口１２３から連れ出されたウェット不織布ロール２０の端部（連出端部）が、複数の弾性片部１２３ｃの復元力によって取出口１２３から収容容器１０外に僅かに突出した状態で保持される。その後は、内側端部２２に代えて前記連出端部が引き上げられることによって、所定長さのウェット不織布シートが前記塩素系除菌液を含浸した除菌シートとして取り出される。本実施形態に係る除菌シート製品１においては、このようにして、前記所定長さのウェット不織布、すなわち、前記塩素系除菌液を含浸した除菌シートが取出口１２３から順次取り出され得る。
【００１６】
次に、前記不織布ロール（ドライ不織布ロール）に含浸された塩素系除菌液及び前記不織布ロール（ドライ不織布ロール）を形成する不織布について具体的に説明する。
【００１７】
本実施形態においては、弱アルカリ性の安定型次亜塩素酸ナトリウム溶液が前記塩素系除菌液として前記不織布ロールに含浸されている。「弱アルカリ性の安定型次亜塩素酸ナトリウム溶液」とは、次亜塩素酸ナトリウム及び純水（ＲＯ−イオン交換水）を主成分とし、ｐＨ値が９．０〜１１．５であり、かつ、ｐＨ値の経時変化がほとんどない液体のことをいう。また、前記塩素系除菌液の残留塩素濃度、すなわち、前記弱アルカリ性の安定型次亜塩素酸ナトリウム溶液の残留塩素濃度は５０〜２００ｐｐｍである。
【００１８】
ここで、「ｐＨ値の経時変化がほとんどない」は、「ｐＨ値が実質的に経時変化しない」ということもでき、例えば、次亜塩素酸水（酸性）や次亜塩素酸ナトリウム希釈液（アルカリ性）などの従来の塩素系除菌液と比較して、ｐＨ値の経時変化が著しく少ないことを意味する。
【００１９】
前記弱アルカリ性の安定型次亜塩素酸ナトリウム溶液は、通常の保管条件（遮光及び室温環境）の下でその有効塩素濃度が長期間（２年以上）にわたって維持されることが確認されている。また、前記弱アルカリ性の安定型次亜塩素酸ナトリウム溶液は、その有効塩素濃度が１０ｐｐｍ程度であっても優れた除菌機能を有すること、除菌速度が次亜塩素酸水（すなわち、次亜塩素酸（ＨＯＣＬ））とほぼ同等であること、塩素臭や刺激臭がほとんどないこと、及び、口や目や鼻に入ったり皮膚に直接触れたりしても安全であること、などが確認されている。
【００２０】
このため、前記弱アルカリ性の安定型次亜塩素酸ナトリウム溶液は、特に高度な衛生管理が要求される医療関連施設や食品関連施設において使用される前記塩素系除菌液として好適であり、また、使い切られるまでにある程度の期間を要する不織布ロールに含浸させる前記塩素系除菌液としても（すなわち、収容容器１０内で所定期間放置される可能性のある前記塩素系除菌液として）も好適であるといえる。
【００２１】
なお、前記弱アルカリ性の安定型次亜塩素酸ナトリウム溶液の残留塩素濃度が５０〜２００ｐｐｍに設定されているのは、主に前記医療関連施設や前記食品関連施設での拭き取り用途において過不足のない殺菌効果を得ることを考慮したものである。したがって、家庭などでの使用を対象とする場合には前記弱アルカリ性の安定型次亜塩素酸ナトリウム溶液の残留塩素濃度が５０ｐｐｍ未満（例えば、２０ｐｐｍ程度）に設定され得るし、より高い殺菌力が必要とされる場合には前記弱アルカリ性の安定型次亜塩素酸ナトリウム溶液の残留塩素濃度が２００ｐｐｍを超えて設定され得る。
【００２２】
また、前記弱アルカリ性の安定型次亜塩素酸ナトリウム溶液は、次亜塩素酸水（酸性）と共通する特徴を有していることから、「安定型アルカリ次亜水（次亜塩素酸水）」と称されることもある。
【００２３】
前記不織布ロール（ドライ不織布ロール）を形成する前記不織布は、前記弱アルカリ性の安定型次亜塩素酸ナトリウム溶液を含浸して保持できるものであればよく、特に制限されないが、例えば合成繊維と再生繊維とで形成されている（換言すれば、天然繊維を含まない）ことが好ましい。また、前記不織布ロール（ドライ不織布ロール）を形成する前記不織布（及びその構成繊維）には、表面改質剤の添加や塗布などの処理がなされていないことが好ましい。主に前記不織布の劣化（変質）及び／又は前記弱アルカリ性の安定型次亜塩素酸ナトリウム溶液の有効塩素濃度（残留塩素濃度）の大幅な低下を抑制するためである。
【００２４】
具体的には、本実施形態において、前記不織布ロールは、ポリエステル繊維、ポリプロピレン繊維、ビスコース繊維、アクリル繊維及びポリアミド繊維からなる不織布がロール状に巻かれて形成されている。前記不織布における各繊維の含有割合は、ポリエステル繊維＞ポリプロピレン繊維＞ビスコース繊維＞アクリル繊維≧ポリアミド繊維である。例えば、前記不織布における各繊維の含有割合は、ポリエステル繊維が６０〜７０％であり、ポリプロピレン樹脂が約２０％であり、ビスコース繊維、アクリル繊維及びポリアミド繊維のそれぞれが１０％以下であり得る。
【００２５】
前記各繊維（ポリエステル繊維、ポリプロピレン繊維、ビスコース繊維、アクリル繊維及びポリアミド繊維）からなる不織布は、滑り性、吸水性、質感（柔軟性）及び強度などの面でバランスがよく、前記弱アルカリ性の安定型次亜塩素酸ナトリウム溶液を十分に含浸させることができ、かつ、前記弱アルカリ性の安定型次亜塩素酸ナトリウム溶液を含浸させてもほとんど劣化（変質）しないことが確認されている。また、前記各繊維からなる不織布に前記弱アルカリ性の安定型次亜塩素酸ナトリウム溶液を含浸させた場合、前記弱アルカリ性の安定型次亜塩素酸ナトリウム溶液の有効塩素濃度は、一時的に低下するが、その後は前記通常の保管条件の下で一定の濃度に維持されることが確認されている。換言すれば、前記各繊維からなる不織布に含浸された前記弱アルカリ性の安定型次亜塩素酸ナトリウム溶液は、その残留塩素濃度の経時変化がほとんどないことが確認されている。
【００２６】
したがって、前記各繊維からなる不織布は、前記弱アルカリ性の安定型次亜塩素酸ナトリウム溶液が含浸される前記不織布ロール（ドライ不織布ロール）を形成する不織布として好適であるといえる。
【００２７】
なお、発明者は、前記各繊維からなる不織布がロール状に巻かれた不織布ロールに、有効塩素濃度の異なる前記弱アルカリ性の安定型次亜塩素酸ナトリウム溶液を含浸させてウェット不織布ロール２０を形成し、形成されたウェット不織布ロール２０における前記弱アルカリ性の安定型次亜塩素酸ナトリウム溶液の残留塩素濃度及びその経時変化を確認した。その結果、前記不織布ロールに有効塩素濃度が所定値以上の前記弱アルカリ性の安定型次亜塩素酸ナトリウム溶液を含浸させることによって、前記弱アルカリ性の安定型次亜塩素酸ナトリウム溶液が十分な残留塩素濃度を有した状態でウェット不織布ロール２０内に存在し得ることが確認された。具体的には、前記不織布ロールに有効塩素濃度が２００〜４００ｐｐｍである前記弱アルカリ性の安定型次亜塩素酸ナトリウム溶液を含浸させることによって、ウェット不織布ロール２０における前記弱アルカリ性の安定型次亜塩素酸ナトリウム溶液の残留塩素濃度が５０〜２００ｐｐｍで維持されることが確認された。
【００２８】
本実施形態に係る除菌シート製品１は、不織布がロール状に巻かれると共にミシン目加工が施された不織布ロールに塩素系除菌液が含浸されたウェット不織布ロール２０を収容容器１０に収容し、収容容器１０（の蓋体１２）に設けられた取出口１２３からミシン目２１で切り離される所定長さのウェット不織布が前記塩素系除菌液を含浸した除菌シートとして順次取り出さ得るように構成されている。ここで、前記塩素系除菌液は、次亜塩素酸ナトリウム及び純水を主成分とし、ｐＨ値が９．０〜１１．５であり、かつ、ｐＨ値の経時変化がほとんどない、弱アルカリ性の安定型次亜塩素酸ナトリウム溶液である。
【００２９】
上述のように、前記弱アルカリ性の安定型次亜塩素酸ナトリウム溶液は、前記従来の塩素系除菌液比べて長い期間にわたって有効塩素濃度が維持され、前記不織布に含浸された場合においてもその残留塩素濃度がほぼ一定に維持される。具体的には、前記弱アルカリ性の安定型次亜塩素酸ナトリウム溶液の残留塩素濃度は、５０〜２００ｐｐｍであり、経時変化がほとんどない。さらに、本実施形態に係る除菌シート製品１は、前記弱アルカリ性の安定型次亜塩素酸ナトリウム溶液を含浸した前記所定長さのウェット不織布が前記除菌シートとして順次取り出されるように構成されており、使用者は、複数の除菌シートを連続して容易に取り出すことができる。したがって、本実施形態に係る除菌シート製品１によれば、高い除菌機能を有する除菌シートを従来よりも長い期間にわたって提供することができると共に、特に複数の除菌シートを使用する場合の手間を従来に比べて軽減することができる。
【００３０】
ところで、本実施形態に係る除菌シート製品１において、収容容器１０は、容器本体１１と容器本体１１に着脱可能な蓋体１２とで構成されている。このため、収容容器１０内のウェット不織布ロール２０が使い切られたとき、使用者は、収容容器１０に新たなウェット不織布ロール２０を補充することが可能である。
【００３１】
例えば、使用者は、製造元又は販売元から新たなウェット不織布ロール２０を入手して収容容器１０に補充することができる。この場合、使用者は、蓋体１２を容器本体１１から取り外し、新たなウェット不織布ロール２０を縦置き状態で容器本体１１内に配置させると共に、新たなウェット不織布ロール２０の内側端部２２を取出口１２３から蓋体１２の上面側に僅かに突出させながら蓋体１２を容器本体１１に取り付ける。
【００３２】
また、使用者は、製造元又は販売元から前記不織布ロール（ドライ不織布ロール）と前記塩素系除菌液とを別々に入手し、収容容器１０内で前記不織布ロールに前記塩素系除菌液を含浸させることによって、収容容器１０に新たなウェット不織布ロール２０を補充することができる。この場合、使用者は、蓋体１２を容器本体１１から取り外し、前記不織布ロール（ドライ不織布ロール）を縦置き状態で容器本体１１内に配置させ、容器本体１１内に前記塩素系除菌液を注入して前記不織布ロールに前記塩素系除菌液を含浸させ、これによって、容器本体１１内でウェット不織布ロール２０を形成する。換言すれば、使用者は、新たなウェット不織布ロール２０を縦置き状態で容器本体１１内に配置させる。その後の処理は、製造元又は販売元から新たなウェット不織布ロール２０を入手した場合と同様である。
【００３３】
なお、上述の実施形態において、収容容器１０は、上部開口の容器本体１１と容器本体１１に着脱可能な蓋体１２とで構成されている。しかし、これに限られるものではない。例えば、図４に示されるように、収容容器１０は、容器本体１１及び蓋体１２に加えて、ウェット不織布ロール２０の上部を覆うように配置されると共に容器本体１１に着脱可能に取り付けられる中蓋体１３をさらに有してもよい。
【００３４】
中蓋体１３は、図５に示されるように、例えばポリプロピレン樹脂又はポリエチレン樹脂で円板状に形成されており、略中央部に第１貫通孔１３１を有する。第１貫通孔１３１は、ウェット不織布ロール２０から取出口１２３に向かうウェット不織布が通過する部位であり、ウェット不織布ロール２０の内径（すなわち、ウェット不織布ロール２０の中空部の直径）Ｄよりも大きい直径を有している。
【００３５】
また、この場合においては、図４に示されるように、例えば、容器本体１１の内周面には段差部１１２が形成され、及び、蓋体１２の下面には円筒部１２５が形成される。そして、中蓋体１３は、その周縁部が容器本体１１の前記内周面に形成された段差部１１２に載置されることによって容器本体１１に取り付けられる。すなわち、中蓋体１３は、その周縁部が容器本体１１の前記内周面に形成された段差部１１２によって保持されるように構成されている。また、中蓋体１３は、蓋体１２が容器本体１１に取り付けられると、蓋体１２の前記下面に形成された円筒部１２５によって上方向への移動が規制されるように構成されている。
【００３６】
このようにすると、例えば除菌シート製品１が持ち運ばれたときに収容容器１０内におけるウェット不織布ロール２０の動きが抑制されると共に、ウェット不織布ロール２０からの前記塩素系除菌液の蒸発も抑制され得る。
【００３７】
また、図６に示されるように、中蓋体１３は、第１貫通孔１３１の周囲に第１貫通孔１３１よりも開口面積の小さい複数（多数）の第２貫通孔１３２をさらに有してもよい。このようにすると、使用者は、容器本体１１内でウェット不織布ロール２０を形成するときに中蓋体１３を利用できるので便宜である。すなわち、使用者は、前記不織布ロールを縦置き状態で容器本体１１内に配置させ、中蓋体１３を容器本体１１の段差部１１２上に設置し、その後、中蓋体１３の上に前記塩素系除菌液を注入して前記不織布ロールに前記塩素系除菌液を含浸させ、これによって、容器本体１１内でウェット不織布ロール２０を形成することができる。この場合、中蓋体１３の上に注入された前記塩素系除菌液が第１貫通孔１３１及び複数の第２貫通孔１３２を通過して前記不織布ロールに含浸されるので、前記不織布ロールの全体に前記塩素系除菌液がまんべんなく含浸され得る。
【００３８】
なお、図６において、複数の第２貫通孔１３２は、同形状（円形）で同サイズに形成されており、また、規則的に配置されている。しかし、これに限られるものではない。複数の第２貫通孔１３２は、異なるサイズ及び／又は異なる形状の貫通孔を含んでもよいし、ランダムに配置されてもよい。
【００３９】
以上、本発明の実施形態及びその変形例について説明したが、本発明は上述の実施形態や変形例に限定されるものではなく、本発明の技術的思想に基づいて更なる変形や変更が可能である。
【符号の説明】
【００４０】
１…除菌シート製品、１０…収容容器、１１…容器本体、１２…蓋体、１３…中蓋体、２０…ウェット不織布ロール、２１…ミシン目、１２３…取出口、１３１…第１貫通孔、１３２…第２貫通孔
【図１】
2020025777.tif 000003
【図２】
2020025777.tif 000004
【図３】
2020025777.tif 000005
【図４】
2020025777.tif 000006
【図５】
2020025777.tif 000007
【図６】
2020025777.tif 000008